(57)【特許請求の範囲】
【請求項１】
可動爪部と前記可動爪部を動かすための操作部とを備える一方のコネクタと、前記可動爪部と係合する係合部を備える他方のコネクタとからなり、前記一方のコネクタと前記他方のコネクタとが結合したときに、前記可動爪部と前記係合部とが係合することにより引き抜きが制止され、前記操作部を操作して前記可動爪部と前記係合部との係合を解除することにより引き抜き可能となるコネクタに用いられるコネクタの引き抜き制限装置であって、
凹状の枠体からなり、前記他方のコネクタに取り付けられる前に前記一方のコネクタの外周部を囲むように取り付けられる基体部と、
前記基体部に連結され、前記操作部上を覆うように配置されることにより前記操作部の操作を禁止する操作禁止部と、
前記操作禁止部に連結されるとともに、前記可動爪部が前記係合部との係合を解除する方向に動くときの動作空間内に配置されることにより、前記可動爪部の前記係合部との係合を解除する方向への動作を禁止する動作禁止部と、
前記基体部と前記操作禁止部及び前記動作禁止部との間を連結するとともに外部に露出した位置に切断可能に形成され、切断されることにより前記基体部から前記操作禁止部及び前記動作禁止部を分離可能にするとともに、その切断痕が残るようにした解除部と
を備え、
前記一方のコネクタと前記他方のコネクタとが結合したときは、前記基体部の前記外周部が前記一方のコネクタと前記他方のコネクタとの間に挟まれて固定され、
前記一方のコネクタと前記他方のコネクタとを分離するときは、前記解除部を切断し、前記基体部から前記操作禁止部及び前記動作禁止部を分離して、前記操作部を露出させるとともに前記可動爪部を前記係合部との係合を解除する方向に動作させ、
前記一方のコネクタと前記他方のコネクタとを再度結合するときは、前記解除部が切断された前記基体部を前記一方のコネクタから取り去り、新たな前記基体部を前記一方のコネクタに取り付ける
ことを特徴とするコネクタの引き抜き制限装置。
【請求項２】
請求項１に記載のコネクタの引き抜き制限装置において、
前記基体部は、逆指し防止突起を備え、
前記逆指し防止突起を前記他方のコネクタから遠ざかる側に位置するように前記基体部を前記一方のコネクタに取り付けたときは、前記逆指し防止突起が前記他方のコネクタと当接することなく前記一方のコネクタと前記他方のコネクタとが結合可能となり、
前記逆指し防止突起を前記他方のコネクタ側に位置するように前記基体部を前記一方のコネクタに取り付けたときは、前記他方のコネクタと前記逆指し防止突起とが当接し、前記一方のコネクタと前記他方のコネクタとが結合できないようにした
ことを特徴とするコネクタの引き抜き制限装置。
【請求項３】
請求項１に記載のコネクタの引き抜き制限装置において、
前記動作禁止部は、左右対称形状をなし、
前記基体部を前記一方のコネクタに取り付けるときは、左又は右側のいずれの側からも前記一方のコネクタに装着できるようにした
ことを特徴とするコネクタの引き抜き制限装置。
【発明の詳細な説明】
【０００１】
【発明の属する技術分野】
本発明は、弾球遊技機やスロットマシンの遊技機等において、基板や電子機器間を接続するためのコネクタに用いられる、コネクタの引き抜き制限装置に関するものである。
【０００２】
【従来の技術】
従来より、弾球遊技機やスロットマシンには各種の基板が実装されている。例えば、遊技の進行等を制御しつつ抽選等を行うメイン制御基板、サウンドの出力やランプ類の点灯等の演出を制御するサブ制御基板、及び電源の供給制御を行う電源制御基板等が挙げられる。
ここで、弾球遊技機やスロットマシンでは、正規の基板やＲＯＭを用い、それ以外の基板やＲＯＭの使用を禁止する必要がある。例えばメイン制御基板は、開封できないように所定のケースに封入されており、メイン制御基板に装着されているＲＯＭ等を正規以外のものに交換できないようになされている。
【０００３】
また、例えばメイン制御基板と、サブ制御基板や電源制御基板等との間は、ハーネス（配線束）により電気的に接続され、電源の供給や情報の送受信等が可能なように構成されている。
【０００４】
図１０及び図１１は、従来の基板間の接続を行う端子となるコネクタの概略を示す図であり、図１０は平面図を示し、図１１は、正面図を示す。なお、図１０では、結合される一対のコネクタ（凸コネクタ１１０及び凹コネクタ１２０）を図示しているが、図１１では、基板１３１上に実装された一方のコネクタ（凹コネクタ１２０）のみを図示している。
【０００５】
図１０に示すように、コネクタは、互いに結合可能な凸コネクタ（雄コネクタ）１１０と凹コネクタ（雌コネクタ）１２０とから構成されている。凸コネクタ１１０は、他の基板（図示せず）から延長されているハーネス２の先端部に取り付けられている。
【０００６】
また、凹コネクタ１２０は、基板１３１上の外縁部の所定位置に実装されている。ここで、基板１３１は、透明樹脂からなる基板ケース１３２内に収容されている。さらに基板ケース１３２の一部には、開口部１３２ａが形成されており、この開口部１３２ａから凹コネクタ１２０が露出している。そして、この開口部１３２ａを介して凹コネクタ１２０と凸コネクタ１１０とが結合可能に形成されている。
【０００７】
さらに、凹コネクタ１２０の内部には、電極ピン１２２が設けられている。電極ピン１２２は、凹コネクタ１２０の凸コネクタ１１０との結合面側に設けられており、凸コネクタ１１０側の電極ピン挿入口（図示せず）に入り込むものである。この電極ピン１２２は、凹コネクタ１２０の背面側から突出し、基板１３１の回路に接続されている。
【０００８】
凸コネクタ１１０が凹コネクタ１２０内に入り込むとともに、凸コネクタ１１０の各電極ピン挿入口に凹コネクタ１２０の各電極ピン１２２が入り込むことで、凸コネクタ１１０に接続されたハーネス２と、凹コネクタ１２０の電極ピン１２２とが電気的に接続され、ハーネス２側と基板１３１側とで信号の送受信が可能な状態になる。
【０００９】
図１２は、凸コネクタ１１０と凹コネクタ１２０との結合状態をより詳細に示す側面図（一部断面図）である。図１２では、凹コネクタ１２０を実線及び２点鎖線で図示している。
凸コネクタ１１０の天壁上には、可動爪部１１１ａと操作部１１１ｂとを備えるロック部材１１１が設けられている。ロック部材１１１は、図示しないが、凸コネクタ１１０の天壁部と薄肉の支軸部をもって連結されており、図中、実線で示す位置と２点鎖線で示す位置との間を回動可能に形成されている。通常状態では、ロック部材１１１は、実線で示す位置に配置されているが、操作部１１１ｂを押下することで、可動爪部１１１ａ側が上方に回動され、２点鎖線で示す位置まで移動される。
また、凹コネクタ１２０の上壁部には、ロック部材１１１の可動爪部１１１ａと係合するための突起状の係合部１２３が設けられている。
【００１０】
凸コネクタ１１０が凹コネクタ１２０内に入り込むと、可動爪部１１１ａの傾斜面１１１ｃと、係合部１２３の傾斜面１２３ａとが互いに接触し、可動爪部１１１ａは、係合部１２３によって図中、２点鎖線で示す方向に回動される。さらに入り込むと、可動爪部１１１ａが係合部１２３を乗り越え、図１２に示すように、可動爪部１１１ａが係合部１２３の左側に配置され、可動爪部１１１ａと係合部１２３とが係合する。
【００１１】
これにより、凸コネクタ１１０と凹コネクタ１２０とが結合された状態となる。この状態において凹コネクタ１２０から凸コネクタ１１０を引き抜こうとしても、可動爪部１１１ａの右側に係合部１２３が配置されているので、可動爪部１１１ａと係合部１２３とが当接し、凸コネクタ１１０を凹コネクタ１２０から離反する方向に移動させることはできない。引き抜く場合には、ロック部材１１１の操作部１１１ｂを押下してロック部材１１１を図中、２点鎖線で示す位置まで回動させ、可動爪部１１１ａと係合部１２３との係合を解除させる。これにより、引き抜き可能な状態となる。
【００１２】
【発明が解決しようとする課題】
しかし、前述の従来の技術では、以下の問題点があった。
上述したように、基板間は、コネクタで接続されていることから、そのコネクタを抜いて正規以外の基板に交換されてしまうおそれがあるという問題がある。あるいは、コネクタを抜いて、正規以外の部品が接続されたハーネスと交換されてしまうおそれがあるという問題がある。
そして、基板やハーネスに接続されている部品が正規以外のものに交換されてしまうと、弾球遊技機やスロットマシンの出玉率が正規の値と異なった値に変化してしまうおそれがあるという問題がある。
【００１３】
ここで、例えば基板間をハーネス２で接続する場合に、ハーネス２の先端部を基板に直接ハンダ付け等をして固着すれば、コネクタを抜いて基板全体が交換されてしまうことを防止することができる。
しかし、所定の場所に基板を設置した後に、ハーネス２を接続する方が、製造工程上、有利である。このため、基板間をハーネス２で接続する場合に、ハーネス２の先端部を基板上に直接固着するより、コネクタを用いて接続しておき、基板のみを取り外すことができるようにしておくことが好ましい。
【００１４】
しかし、コネクタを用いて接続することで、外部から簡単に抜き差しができてしまうという問題がある。
したがって、本発明が解決しようとする課題は、基板や電子機器間をコネクタを用いて接続する場合に、コネクタの接続後にはコネクタの引き抜きを制限できるようにすることである。
【００１５】
【課題を解決するための手段】
本発明は、以下の解決手段によって、上述の課題を解決する。
請求項１の発明は、可動爪部と前記可動爪部を動かすための操作部とを備える一方のコネクタと、前記可動爪部と係合する係合部を備える他方のコネクタとからなり、前記一方のコネクタと前記他方のコネクタとが結合したときに、前記可動爪部と前記係合部とが係合することにより引き抜きが制止され、前記操作部を操作して前記可動爪部と前記係合部との係合を解除することにより引き抜き可能となるコネクタに用いられるコネクタの引き抜き制限装置であって、凹状の枠体からなり、前記他方のコネクタに取り付けられる前に前記一方のコネクタの外周部を囲むように取り付けられる基体部と、前記基体部に連結され、前記操作部上を覆うように配置されることにより前記操作部の操作を禁止する操作禁止部と、前記操作禁止部に連結されるとともに、前記可動爪部が前記係合部との係合を解除する方向に動くときの動作空間内に配置されることにより、前記可動爪部の前記係合部との係合を解除する方向への動作を禁止する動作禁止部と、前記基体部と前記操作禁止部及び前記動作禁止部との間を連結するとともに外部に露出した位置に切断可能に形成され、切断されることにより前記基体部から前記操作禁止部及び前記動作禁止部を分離可能にするとともに、その切断痕が残るようにした解除部とを備え、前記一方のコネクタと前記他方のコネクタとが結合したときは、前記基体部の前記外周部が前記一方のコネクタと前記他方のコネクタとの間に挟まれて固定され、前記一方のコネクタと前記他方のコネクタとを分離するときは、前記解除部を切断し、前記基体部から前記操作禁止部及び前記動作禁止部を分離して、前記操作部を露出させるとともに前記可動爪部を前記係合部との係合を解除する方向に動作させ、前記一方のコネクタと前記他方のコネクタとを再度結合するときは、前記解除部が切断された前記基体部を前記一方のコネクタから取り去り、新たな前記基体部を前記一方のコネクタに取り付けることを特徴とする。
【００１６】
請求項１の発明においては、一方のコネクタと他方のコネクタとが結合されたときには、操作禁止部は、一方のコネクタの操作部の操作ができないように配置される。また、動作禁止部は、可動爪部の係合部との係合を解除する方向への動作を禁止する。さらにまた、基体部は、一方のコネクタと他方のコネクタとの間に挟まれて固定される。
したがって、コネクタの引き抜き制限装置が取り付けられた状態で一方のコネクタと他方のコネクタとが結合したときには、両者を引き抜くことができない。
【００１７】
コネクタを引き抜くときには、解除部を切断することにより行う。解除部は、切断可能に形成されているので、切断することができる。解除部が切断されると、基体部と操作禁止部及び動作禁止部とが分離される。そして、基体部から操作禁止部及び動作禁止部を取り除けば、操作部を操作して可動爪部を係合部との係合を解除する方向に移動させれば、コネクタを引き抜くことができる。また、解除部を切断すると、その切断痕が残るので、解除部を切断した事実が外部から目視により容易に判別できるようになる。
【００１８】
よって、コネクタを引き抜くときには解除部を切断する必要があり、解除部を切断すると、その切断の事実が判別できるようになるので、コネクタの引き抜きを牽制（制限）することができる。
【００１９】
【発明の実施の形態】
以下、図面等を参照して、本発明の一実施形態について説明する。
（第１実施形態）
図１は、本発明によるコネクタの引き抜き制限装置を適用した、弾球遊技機の裏面側を示す正面図である。図１に示すように、弾球遊技機４０の裏面側には、各種の基板等が実装されている。例えば、電源受電基板４１は右上側に配置されており、中央下部には、電源ユニット４２が配置されている。弾球遊技機４０の外部から供給される電源は、電源受電基板４１に供給された後、過電流遮断装置（ヒューズ）等の所要の電気部品を介して電源ユニット４２に供給される。電源ユニット４２は、弾球遊技機４０に設けられた各種の基板に所要の電源を供給する。
【００２０】
メイン制御基板４３は、遊技の進行等を制御する基板であり、演算等を行うＣＰＵ、遊技プログラムを記憶したＲＯＭ、及びデータを一時的に記憶するＲＡＭ等を備える。また、球搬出制御基板４４は、球の搬出を制御する基板であり、ＣＰＵや、モータの駆動パターンを記憶するＲＯＭ等を備える。
【００２１】
さらにまた、サブ制御基板４５は、演出の出力を制御する基板であり、サウンドの出力、ランプ類の点灯、画像表示装置（図示せず）による画像表示等の制御を行うものであり、メイン制御基板４３と同様に、ＣＰＵ、ＲＯＭ、及びＲＡＭ等を備える。
そして、例えばメイン制御基板４３は、電源受電基板４１、球搬出制御基板４４、及びサブ制御基板４５等と、従来の技術で示したハーネス２により接続されるとともに、その接続端には、コネクタが用いられる。また、図１に示すように、弾球遊技機の遊技盤の遊技領域（図示せず）には図柄始動用入賞口４６が設けられており、この図柄始動用入賞口４６への遊技球の入賞を検知する入賞検知センサ４７とメイン制御基板４３との間も、ハーネス２により接続されている。
【００２２】
図２は、凸コネクタ１０及び凹コネクタ２０と、本実施形態の引き抜き制限装置５０とを示す斜視図である。コネクタは、従来の技術と同様に、凸コネクタ１０と凹コネクタ２０とからなるものである。そして、凸コネクタ１０には、ハーネス２が接続されており、本実施形態ではメイン制御基板４３から延長されているものである。これに対し、凹コネクタ２０は、サブ制御基板４５上に実装されているものである。
【００２３】
凸コネクタ１０の天壁１０ａには、２本のリブ１２が所定間隔を隔てて略平行に形成されている。さらに、これらの２本のリブ１２間に、２本のリブ１２間の長さよりやや短い幅を有するロック部材１１が設けられている。ロック部材１１は、可動爪部１１ａと操作部１１ｂとを備える。可動爪部１１ａは、ロック部材１１の凹コネクタ２０との結合側の端部において、下面側（凸コネクタ１０の天壁１０ａ面側）に凸となるように形成されている。また、操作部１１ｂは、ロック部材１１の可動爪部１１ａと反対側の端部において、上面側に凸となるように形成されている。
【００２４】
また、凸コネクタ１０の天壁１０ａと、ロック部材１１の略中央部とは、薄肉状の支軸部（図示せず）によって連結されており、無負荷状態ではロック部材１１が凸コネクタ１０の天壁１０ａ面と略水平になるように配置されている。そして、操作部１１ｂが押下されると、ロック部１１は、支軸部によってシーソーと同様の動作をなし、可動爪部１１ａ側が上方に移動されるように構成されている。
【００２５】
図３は、引き抜き制限装置５０が装着された凸コネクタ１０を示す正面図（一部断面図）であり、凹コネクタ２０との結合面側を示す図である。
図３に示すように、凸コネクタ１０の凹コネクタ２０との結合面側には、所定個数の電極ピン挿入口１３が形成されている。この電極ピン挿入口１３は、凹コネクタ２０との結合時に、凹コネクタ２０側に形成された電極ピン２２（後述）が挿入される穴である。
【００２６】
また、凹コネクタ２０は、図２に示すように、凸コネクタ１０との結合面側に、断面凹状の開口部２１が形成されている。凸コネクタ１０と凹コネクタ２０との結合時には、凸コネクタ１０が凹コネクタ２０の開口部２１内に入り込む。
また、開口部２１内には、複数の電極ピン２２が設けられており、これらの電極ピン２２は、凹コネクタ２２の背面から突出するように設けられており、サブ制御基板４５の回路に接続されている。
【００２７】
凹コネクタ２０の天壁２０ａ上には、２本の案内部２３が所定間隔を隔てて略平行に形成されている。案内部２３は、略逆凹状に形成された溝状のものであり、凸コネクタ１０と凹コネクタ２０との結合時に、凸コネクタ１０のリブ１２が入り込むものである。凸コネクタ１０の２本のリブ１２がそれぞれ凹コネクタ２０の案内部２３に入り込むことで、凸コネクタ１０と凹コネクタ２０との結合時に、両者が位置決めされる。
【００２８】
また、凹コネクタ２０の天壁２０ａ上において、案内部２３の内側には、それぞれ案内部２３に隣接して突起状の係合部２４が設けられている。凸コネクタ１０と凹コネクタ２０との結合時には、２本の案内部２３間に、凸コネクタ１０のロック部１１が配置される。このときに、係合部２４は、ロック部材１１の可動爪部１１ａと係合する。
【００２９】
引き抜き制限装置５０は、図２及び図３に示すように、基体部５１と、凸コネクタ１０と凹コネクタ２０との結合後の係合解除を禁止する禁止部５２と、基体部５１から禁止部５２を分離可能とした解除部５３とを備える。
基体部５１は、凹状の枠体からなるものであり、図３に示すように、凸コネクタ１０の外周部を囲むように取り付けられるものである。すなわち、凸コネクタ１０の凹コネクタ２０との結合面側から、引き抜き制限装置５０を挿入可能なように基体部５１が形成されている。
【００３０】
基体部５１の上方部には、禁止部５２が設けられるとともに、禁止部５２の両端と基体部５１とが解除部５３によって連結されている。なお、本実施形態では、基体部５１、禁止部５２及び解除部５３は、成型によって樹脂により一体形成されたものである。
【００３１】
禁止部５２は、操作禁止部５２ａと動作禁止部５２ｂとを備える。
操作禁止部５２ａは、凸コネクタ１０と凹コネクタ２０との結合後に、ロック部材１１の操作部１１ｂの操作を禁止するためのものであり、板状体をなしている。また、操作禁止部５２ａの両側面の一部に解除部５３が連結されている。
【００３２】
また、動作禁止部５２ｂは、可動爪部１１ａの係合部２４との係合解除を禁止する方向への移動を禁止するためのものである。動作禁止部５２ｂは、操作禁止部５２ａの下面側に連結されており、図３に示すように、断面が略Ｌ形の形状をなすとともに、左右対称に構成されている。
さらにまた、解除部５３の肉厚は、基体部５１の肉厚より薄く形成されている。これは、後述するが、解除部５３は、凸コネクタ１０と凹コネクタ２０との結合後に引き抜く場合に切断される部分であるため、その切断を容易にするために薄肉としている。
【００３３】
以上の構成からなる引き抜き制限装置５０は、凸コネクタ１０と凹コネクタ２０との結合前に、凸コネクタ１０側に取り付けられる。そして、引き抜き制限装置５０が取り付けられた凸コネクタ１０と凹コネクタ２０とが結合される。
先ず、図３に示すように、引き抜き制限装置５０の基体部５１が凸コネクタ１０の外周を囲むように嵌合される。
【００３４】
このとき、禁止部５２の操作禁止部５２ａは、ロック部材１１の上面を覆うように、いいかえれば上面から見てロック部材１１が操作禁止部５２ａによって隠蔽されるように配置される。また、動作禁止部５２ｂは、ロック部材１１を囲むようにロック部材１１の側面から下面にかけて配置される。また、凸コネクタ１０の２本のリブ１２は、操作禁止部５２ａの下面側であって、動作禁止部５２ｂの外側に動作禁止部５２ｂに隣接するように配置される。
なお、図３の状態の時点では、引き抜き制限装置５０を、凸コネクタ１０から引き抜くことが可能である。
【００３５】
図４は、引き抜き制限装置５０が取り付けられた凸コネクタ１０と凹コネクタ２０とが結合されたときの状態を示す側面図（一部断面図）である。
引き抜き制限装置５０が取り付けられた凸コネクタ１０と凹コネクタ２０とが結合されると、操作禁止部５２ａは、凹コネクタ２０の２本の案内部２３上に配置される。
【００３６】
また、ロック部材１１は、凹コネクタ２０の天壁２０ａ上において２本の案内部２３の間に入り込む。そして、上述したように、凸コネクタ１０のリブ１２は、それぞれ凹コネクタ２０の案内部２３内に入り込む。さらに、凹コネクタ２０の開口部２１内に凸コネクタ１０が入り込むことで、凹コネクタ２０の開口部２１内の各電極ピン２２がそれぞれ凸コネクタ１０の電極ピン挿入口１３に入り込む。これにより、凸コネクタ１０側と凹コネクタ２０側とが電気的に接続される。
【００３７】
さらに凸コネクタ１０が凹コネクタ２０側に挿入されると、ロック部材１１の可動爪部１１ａの傾斜面１１ｃと係合部２４の傾斜面２４ａとが互いに接触し、さらにロック部材１１が弾性変形して可動爪部１１ａが上方向に移動され、可動爪部１１ａが係合部２４を乗り越える。この結果、図４に示すように、可動爪部１１ａが係合部２４の左側に配置され、可動爪部１１ａと係合部２４とが係合する。これにより、凸コネクタ１０と凹コネクタ２０とが結合される。
【００３８】
この状態では、凸コネクタ１０と凹コネクタ２０とを互いに離反する方向に移動させる、すなわち凹コネクタ２０から凸コネクタ１０を引き抜くことはできない。図４において、凸コネクタ１０を図中、右方向に移動させようとしても、ロック部材１１の可動爪部１１ａと係合部２４とが当接し、引き抜くことはできない。
【００３９】
ここで、従来の技術では、ロック部材１１の操作部１１ｂを押下して、可動爪部１１ａを係合部２４より高い位置まで上げた状態にすれば、凹コネクタ２０から凸コネクタ１０を引き抜くことができた。
しかし本実施形態では、図３及び図４に示すように、操作部１１ｂを含むロック部材１１の上面を覆うように禁止部５２の操作禁止部５２ａが配置されているので、操作部１１ｂを押し下し操作することは不可能である。また、図４で示すように、動作禁止部５２ｂは、操作部１１ｂの下方に配置されている。このため、ロック部材１１は、係合部２４との係合解除方向へのシーソー動作が規制される。これらのことより、凸コネクタ１０と凹コネクタ２０との分離を不可能としている。
また、引き抜き制限装置５０が取り付けられた凸コネクタ１０と、凹コネクタ２０とが結合されると、図４に示すように、引き抜き制限装置５０の基体部５１は、凸コネクタ１０のリム部１４と、凹コネクタ２０の前端縁面２５とに挟まれる。これにより、引き抜き制限装置５０を、凸コネクタ１０と凹コネクタ２０との結合体から引き抜くことも不可能となる。
【００４０】
以上のように、この状態のままでは、凹コネクタ２０から凸コネクタ１０を引き抜くことはできず、引き抜きが制限されている。
凹コネクタ２０から凸コネクタ１０を引き抜くためには、解除部５３を切断して、禁止部５２を引き抜き制限装置５０から分離する必要がある。
図５は、凸コネクタ１０と凹コネクタ２０とが結合した状態において、禁止部５２を分離した状態を示す平面図である。図中、上側には、分離した禁止部５２を併せて図示している。
【００４１】
図５において、解除部５３を例えばニッパーやカッター等で切断するとともに、禁止部５２を凸コネクタ１０側にスライド移動させれば、禁止部５２を引き抜き制限装置５０から分離することができる。ここで、禁止部５２の下面側には動作禁止部５２ｂが設けられているので、解除部５３を切断した禁止部５２を上側に持ち上げようとしても動作禁止部５２ｂとロック部材１１とが干渉するので持ち上げることができない。しかし、禁止部５２をスライド移動させることで、動作禁止部５２ｂがロック部材１１と干渉しないようにしつつ、禁止部５２を引き抜き制限装置５０から分離することができる。
【００４２】
これにより、ロック部材１１が外部に露出するので、ロック部材１１の操作部１１ｂを押下することができるようになる。そして、操作部１１ｂを押下した状態にすれば、凹コネクタ２０から凸コネクタ１０を引き抜くことができる。
なお、解除部５３の切断後は、その切断の事実が外部から容易に判別可能な状態になる。すなわち、解除部５３の形状が変化するとともに、引き抜き制限装置５０を例えばナイロンやＰＢＴ等の樹脂から形成すれば、切断のような過度の応力が加わった場合には、その部分及びその周囲部が白化するからである。
【００４３】
したがって、一旦解除部５３を切断した後は、禁止部５２を再度元の位置に載置したり、接着剤等で接着したとしても、切断痕が残るようになる。
これにより、コネクタを抜いた形跡があるか否かを、解除部５３の状態によって、外部から目視により容易に判別することができる。
【００４４】
例えばサブ制御基板４５の修理等により、コネクタを引き抜く必要があるときには、上述のように解除部５３を切断してコネクタを引き抜く。また、凸コネクタ１０と凹コネクタ２０とを分離した後は、凸コネクタ１０から基体部５１を取り去る。なお、切断により分離された禁止部５２や、取り去った基体部５１は破棄する。そして、凸コネクタ１０と凹コネクタ２０とを再度結合するときには、新たに用意した引き抜き制限装置５０を凸コネクタ１０に装着して、凸コネクタ１０と凹コネクタ２０とを結合すれば良い。
【００４５】
（第２実施形態）
図６は、本発明の第２実施形態を示す図であり、（Ａ）は、第２実施形態の引き抜き制限装置５０Ａの要部を示す斜視図であり、（Ｂ）は、凸コネクタ１０と凹コネクタ２０とを引き抜き制限装置５０Ａを介して取り付けたときの状態を示す平面図である。
なお、第２実施形態では、第１実施形態の部材に相当する部材であって第１実施形態と異なる部材に対して、符号「Ａ」を付している。
【００４６】
第２実施形態の引き抜き制限装置５０Ａは、逆差し防止突起５４が設けられている点が第１実施形態の引き抜き制限装置５０と異なる。その他は第１実施形態の引き抜き制限装置５０と同一である。
逆差し防止突起５４は、枠体である基体部５１の左右両側のほぼ中央部分に設けられている。また、逆差し防止突起５４の突出方向は、電極ピン挿入口１３がある面と逆側である。
【００４７】
第２実施形態では、逆差し防止突起５４が突出している側から凸コネクタ１０を挿入する。すなわち、図６（Ｂ）に示すように、逆差し防止突起５４が２点鎖線で示す向きとなるように挿入する。
これに反して、逆差し防止突起５４を逆向きにして凸コネクタ１０に挿入してしまった場合には、図６（Ｂ）の実線で示すようになる。このように、逆差し防止突起５４が逆向きの状態で凸コネクタ１０に挿入すること自体は可能であるが、この状態では凹コネクタ２０と結合することはできない。凹コネクタ２０と結合しようとすると、図６（Ｂ）に示すように、凹コネクタ２０の左右両側の縁部に逆差し防止突起５４が当接し、凸コネクタ１０の可動爪部１１ａと凹コネクタ２０の係合部２４とが係合する位置まで、凸コネクタ１０を凹コネクタ２０側に挿入することができないからである。
【００４８】
以上のように形成すれば、凸コネクタ１０や凹コネクタ２０の形状によって、引き抜き制限装置５０Ａに取付け方向性を有する場合でも、誤りなく引き抜き制限装置５０Ａを組み込むことができる。例えば組立時には、目視による逆差し防止効果を有する他、構造上においても逆差しを防止することができる。
【００４９】
（第３実施形態）
図７は、本発明の第３実施形態を示す図であり、（Ａ）は、第３実施形態の引き抜き制限装置５０Ｂを、略中央から縦に切断して切断面に垂直な方向に見たときの側面図（一部断面図）であり、（Ｂ）は、（Ａ）におけるＡ−Ａ断面を示す矢視断面図である。
なお、第３実施形態では、第１実施形態の部材に相当する部材であって第１実施形態と異なる部材に対して、符号「Ｂ」を付している。
【００５０】
第３実施形態の引き抜き制限装置５０Ｂは、第１実施形態の動作禁止部５２ｂに相当する動作禁止部５２ｃが設けられている点が第１実施形態の引き抜き制限装置５０と異なる。その他は第１実施形態の引き抜き制限装置５０と同一である。
第３実施形態の動作禁止部５２ｃは、図７に示すように、左右対称形状をなすものである。例えば図７（Ａ）では、左側又は右側のいずれの側から凸コネクタ１０を挿入しても凸コネクタ１０に装着される形状をなしている。本実施形態のように、凸コネクタ１０や凹コネクタ２０の形状によっては、動作禁止部５２ｃを左右対称形状にすることができる。
このように形成すれば、第２実施形態のように逆差し防止突起５４を設ける（逆差し防止機能を持たせる）必要がないので、組立効率を高めることができる。
【００５１】
（第４実施形態）
図８は、本発明の第４実施形態を示す図であり、第４実施形態の引き抜き制限装置５０Ｃの要部を示す斜視図である。
なお、第４実施形態では、第１実施形態の部材に相当する部材であって第１実施形態と異なる部材に対して、符号「Ｃ」を付している。
第４実施形態の引き抜き制限装置５０Ｃは、第１実施形態の基体部５１と異なる基体部５１Ｃを備える点が第１実施形態と異なる。その他は第１実施形態の引き抜き制限装置５０と同一である。
【００５２】
図８に示すように、基体部５１Ｃは、下側基体５１ａと、上側基体５１ｂとから構成されている。そして、両者が連結されることにより、第１実施形態と同様の基体部５１が構成される。すなわち、基体部５１Ｃは、上下に２分割されたものから構成されている。
【００５３】
下側基体５１ａと上側基体５１ｂとには、それぞれ連結部５５ａ及び５５ｂが設けられている。下側基体５１ａの連結部５５ａは、正面から見て略凹状に形成されている。また、上側基体５１ｂの連結部５５ｂは、正面から見て略逆凸状に形成されている。そして、両者は、互いに嵌合可能な形状に形成されている。
【００５４】
下側基体５１ａと上側基体５１ｂとを連結するときには、連結部５５ａと５５ｂとをスライドさせるようにして連結する。すなわち、例えば上側基体５１ｂの連結部５５ｂを、下側基体５１ａの連結部５５ａの正面側から挿入することで、両者を連結する。なお、下側基体５１ａの連結部５５ａの上部から上側基体５１ｂの連結部５５ｂを挿入しようとしても、干渉して挿入できない形状に形成されている。
このようにすれば、上側基体５１ａと下側基体５１ｂとに、上下方向の力（両者を分離させる方向の力）が加わっても、容易に分離しないように形成することができる。
また、引き抜き制限装置５０Ｃの基体部５１Ｃが、設計寸法より多少収縮して製造された場合でも、凸コネクタ１０へのスムーズな組込みを期待することができる。
【００５５】
（第５実施形態）
図９は、本発明の第５実施形態を示す図であり、（Ａ）は、第５実施形態の凸コネクタ１０を示す正面図であり、（Ｂ）は、（Ａ）におけるＢ−Ｂ断面を示す矢視断面図である。
第５実施形態は、第４実施形態の変形例を示すものであり、第４実施形態と同様に、２分割された基体部を備えるが、第５実施形態の基体部は、第４実施形態と同一の上側基体５１ｂと、凸コネクタ１０に一体形成された下側基体５１ｃとから構成されている。
【００５６】
第４実施形態では、下側基体５１ａを凸コネクタ１０と別個に形成したが、第５実施形態の下側基体５１ｃは、コネクタ１０の側壁部にコネクタ１０と一体形成されている。また、下側基体５１ｃは、第４実施形態の下側基体５１ａの連結部５５ａに相当する部分のみの形状をなしている。
このように形成すれば、第４実施形態と同様の効果が得られるとともに、第４実施形態の下側基体５１ａのような独立した部材を削減することができる。
【００５７】
以上、本発明の一実施形態について説明したが、本発明は、上述した実施形態に限定されることなく、例えば以下のような種々の変形が可能である。
（１）本実施形態では、凸コネクタ１０及び凹コネクタ２０を、具体的な形状を図示して説明したが、本発明の引き抜き制限装置に用いられるコネクタとしては、一方の突起と他方の突起とを係合させることによって係合解除を規制することができるものであれば、いかなるものであっても良い。
【００５８】
（２）本実施形態では、引き抜き制限装置５０等を樹脂から形成したが、例えば解除部５３をニッパーやカッター等で切断できるものであれば、樹脂以外の材料（例えば金属）から形成しても良い。
【００５９】
（３）本実施形態では、凸コネクタ１０と凹コネクタ２０とを結合後に分離するときには解除部５３を切断するように形成したが、これに限らず、解除部５３は、基体部５１と禁止部５２とを分離可能なように構成したものであれば良い。例えば解除部５３を、封印シールを含むものから形成し、基体部５１と禁止部５２とを分離したときには、その封印シールが剥離されるとともに、その剥離により封印シールの一部の層構造が破壊されることで、開封済み等の表示が出現するようなものであっても良い。あるいは、基体部５１と禁止部５２とを分離したときには解除部５３の構造が破壊され、その痕跡が外部から判別できるようなものであっても良い。このように、解除部５３を切断したときには切断痕が残る等、基体部５１と禁止部５２とを一旦分離したときには、解除部５３によってその分離の痕跡が残るものであれば良い。
【００６０】
（４）本実施形態では、弾球遊技機４０のサブ制御基板４５とメイン制御基板４３とを接続するコネクタ（凸コネクタ１０及び凹コネクタ２０）に抜き抜き制限装置５０等を用いた例を挙げたが、これに限らず、各種の基板や電子機器間を接続するコネクタに広く用いることができる。例えば、弾球遊技機４０に限らず、スロットマシンその他の各種の遊技機等に広く適用することができる。特に、出玉に影響を与える部位、装置同士の接続に用いればさらに有益である。具体的には、スロットマシンであれば、乱数取得条件となるスタートスイッチと制御基板（メイン制御基板）との接続が挙げられる。また、弾球遊技機であれば、図１で示したように、図柄始動用入賞口４６の入賞検知センサ４７とメイン制御基板４３との接続が挙げられる。
【００６１】
【発明の効果】
請求項１の発明によれば、コネクタを引き抜くときには解除部を切断する必要があり、解除部を切断すると、その切断の事実が判別できるようになるので、コネクタの引き抜きを牽制（制限）することができる。
これにより、製造工程や修理等においてコネクタの抜き差しが従来通りにできることを確保しつつ、コネクタを抜いて正規以外の基板に交換したり、正規以外の部品に接続されたハーネスと交換したりする行為を牽制することができる。
【図面の簡単な説明】
【図１】本発明によるコネクタの引き抜き制限装置を適用した、弾球遊技機の裏面側を示す正面図である。
【図２】凸コネクタ及び凹コネクタと、本実施形態のコネクタの引き抜き制限装置とを示す斜視図である。
【図３】引き抜き制限装置が装着された凸コネクタを示す正面図（一部断面図）であり、凹コネクタとの結合面側を示す図である。
【図４】引き抜き制限装置が取り付けられた凸コネクタと凹コネクタとが結合されたときの状態を示す側面図（一部断面図）である。
【図５】凸コネクタと凹コネクタとが結合した状態において、禁止部を分離した状態を示す平面図である。
【図６】本発明の第２実施形態を示す図であり、（Ａ）は、第２実施形態の引き抜き制限装置の要部を示す斜視図であり、（Ｂ）は、凸コネクタと凹コネクタとを引き抜き制限装置を介して取り付けたときの状態を示す平面図である。
【図７】本発明の第３実施形態を示す図であり、（Ａ）は、第３実施形態の引き抜き制限装置を、略中央から縦に切断して切断面に垂直な方向に見たときの側面図（一部断面図）であり、（Ｂ）は、（Ａ）におけるＡ−Ａ断面を示す矢視断面図である。
【図８】本発明の第４実施形態を示す図であり、第４実施形態の引き抜き制限装置の要部を示す斜視図である。
【図９】本発明の第５実施形態を示す図であり、（Ａ）は、第５実施形態の凸コネクタを示す正面図であり、（Ｂ）は、（Ａ）におけるＢ−Ｂ断面を示す矢視断面図である。
【図１０】従来の基板間の接続を行う端子となるコネクタの概略を示す平面図である。
【図１１】従来の基板間の接続を行う端子となるコネクタの概略を示す正面図である。
【図１２】凸コネクタと凹コネクタとの結合状態をより詳細に示す側面図（一部断面図）である。
【符号の説明】
２  ハーネス
１０  凸コネクタ
１０ａ  天壁
１１  ロック部材
１１ａ  可動爪部
１１ｂ  操作部
１１ｃ  傾斜面
１２  リブ
１３  電極ピン挿入口
１４  リム部
２０  凹コネクタ
２０ａ  天壁
２１  開口部
２２  電極ピン
２３  案内部
２４  係合部
２４ａ  傾斜面
２５  前端縁面
４０  弾球遊技機
４１  電源受電基板
４２  電源ユニット
４３  メイン制御基板
４４  球搬出制御基板
４５  サブ制御基板
４６  図柄始動用入賞口
４７  入賞検知センサ
５０、５０Ａ、５０Ｂ、５０Ｃ  （コネクタの）引き抜き制限装置
５１、５１Ｃ  基体部
５１ａ  下側基体
５１ｂ  上側基体
５１ｃ  下側基体
５２  禁止部
５２ａ  操作禁止部
５２ｂ  動作禁止部
５２ｃ  動作禁止部
５３  解除部
５４  逆差し防止突起
５５ａ  連結部
５５ｂ  連結部
【図１】
0003925850.tif 000002
【図２】
0003925850.tif 000003
【図３】
0003925850.tif 000004
【図４】
0003925850.tif 000005
【図５】
0003925850.tif 000006
【図６】
0003925850.tif 000007
【図７】
0003925850.tif 000008
【図８】
0003925850.tif 000009
【図９】
0003925850.tif 000010
【図１０】
0003925850.tif 000011
【図１１】
0003925850.tif 000012
【図１２】
0003925850.tif 000013